(57)【要約】【課題】蛍光画像が印刷されていることが簡単に視認されないセキュリティ性の高い印刷物を作るための熱転写インクリボン、そのインクリボンを用いて蛍光画像を印刷した認証用印刷物及び認証用印刷物の検査方法を提供する。【解決手段】熱転写インクリボンの帯状の支持体１と、この熱転写インクリボンの帯状の支持体１の長さ方向に第１に励起光により励起され第１の可視光を発光する蛍光色料３を含有する第１のインク層２１と、第１又は第２の励起光により励起され第２の可視光を発光する蛍光色料４を含有する第２のインク層２２とを備えた熱転写インクリボンＲ１を形成する。そして、この熱転写インクリボンＲ１の第１のインク層２１による第１の蛍光画像と、第２のインク層２２による第２の蛍光画像によって認証用印刷物を記録する。【選択図】  図１
2005007692.tif 000002
【特許請求の範囲】
【請求項１】
熱転写インクリボンの帯状の支持体と、
この支持体の長さ方向に第１の蛍光色料を含有する第１のインク層と、前記支持体の長さ方向に第２の蛍光色料を含有する第２のインク層を備え、
前記第１及び第２のインク層が前記支持体の片側の面に交互に形成されていることを特徴とする熱転写インクリボン。
【請求項２】
熱転写インクリボンの帯状の支持体と、
この支持体の長さ方向に第１の蛍光色料及び第２の蛍光色料を含有するインク層を備え、
前記インク層が前記支持体の片側の面に形成されていることを特徴とする熱転写インクリボン。
【請求項３】
前記第１の蛍光色料は、第１の励起光により励起されると第１の可視光を発光する蛍光顔料で構成され、
前記第２の蛍光色料は、第１又は第２の励起光により励起されると第２の可視光を発光する蛍光顔料で構成されることを特徴とする請求項１又は請求項２記載の熱転写インクリボン。
【請求項４】
前記第１の励起光は２５４ｎｍの波長を有し、前記第２の励起光は３６５ｎｍの波長を有することを特徴とする請求項３記載の熱転写インクリボン。
【請求項５】
前記第１の可視光は赤色光であり、前記第２の可視光は青色光であることを特徴とする請求項３記載の熱転写インクリボン。
【請求項６】
熱転写インクリボンの帯状の支持体の長さ方向に、第１の蛍光色料を含有する第１のインク層と、第２の蛍光色料を含有する第２のインク層を備え、前記第１及び第２のインク層が前記支持体の片側の面に交互に形成されている熱転写インクリボンを用いて記録された認証用印刷物であって、
印刷物の所定位置に前記第１のインク層で記録された第１の蛍光画像と、前記第２のインク層で記録された第２の蛍光画像を有することを特徴とする認証用印刷物。
【請求項７】
前記第１の蛍光画像と前記第２の蛍光画像が、互いの一部または全部が重なり合って記録されていることを特徴とする請求項６記載の認証用印刷物。
【請求項８】
熱転写インクリボンの帯状の支持体の長さ方向に、第１の蛍光色料及び第２の蛍光色料を含有するインク層を備え、前記インク層が前記支持体の片側の面に形成されている熱転写インクリボンを用いて記録された認証用印刷物であって、
印刷物の所定位置に前記インク層を有する蛍光画像が記録されていることを特徴とする認証用印刷物。
【請求項９】
前記第１の蛍光色料は、第１の励起光により励起されると第１の可視光を発光する蛍光顔料で構成され、
前記第２の蛍光色料は、第１又は第２の励起光により励起されると第２の可視光を発光する蛍光顔料で構成されることを特徴とする請求項６又は請求項８記載の認証用印刷物。
【請求項１０】
熱転写インクリボンの帯状の支持体の長さ方向に、第１の励起光により励起されると第１の可視光を発光する第１の蛍光色料を含有する第１のインク層と、第１又は第２の励起光により励起されると第２の可視光を発光する第２の蛍光色料を含有する第２のインク層を備え、前記第１及び第２のインク層が前記支持体の片側の面に交互に形成されている熱転写インクリボンを用いた認証用印刷物の画像形成方法であって、
画像情報を読み込む読込ステップと、
前記読込ステップで読み込んだ前記画像情報から認証用印刷物に記録するための記録データを作成する作成ステップと、
前記作成ステップで作成された前記記録データを前記認証用印刷物の所定位置に前記熱転写インクリボンの前記第１のインク層により第１の蛍光画像を記録し、
前記第２のインク層により第２の蛍光画像を記録する記録ステップと
を有することを特徴とする認証用印刷物の画像形成方法。
【請求項１１】
熱転写インクリボンの帯状の支持体の長さ方向に、第１の励起光により励起されると第１の可視光を発光する第１の蛍光色料及び第１又は第２の励起光により励起されると第２の可視光を発光する第２の蛍光色料を含有するインク層を備え、前記インク層が前記支持体の片側の面に形成されている熱転写インクリボンを用いた認証用印刷物の画像形成方法であって、
画像情報を読み込む読込ステップと、
前記読込ステップで読み込んだ前記画像情報から認証用印刷物に記録するための記録データを作成する作成ステップと、
前記作成ステップで作成された前記記録データを前記認証用印刷物の所定位置に前記熱転写インクリボンを用いて蛍光画像を記録する記録ステップと
を有することを特徴とする認証用印刷物の画像形成方法。
【発明の詳細な説明】
【０００１】
【発明の属する技術分野】
本発明は、例えば、偽造あるいは変造の防止対策が要求される認証用カード、通帳類などの認証用印刷物に蛍光画像を印刷するための熱転写インクリボン、認証用印刷物、及び認証用印刷物の画像形成方法に関する。
【０００２】
【従来の技術】
例えば、クレジットカード、運転免許証、従業員証、及び指定場所への入退出許可証など個人認証用カードや通帳類などの認証用印刷物は、高いセキュリティ性が要求される印刷物であり、一般に個人の顔写真が印刷又は貼付され、その人物を認証している。しかしながら、近年カラーコピー機やカラープリンタの技術が大幅に進歩したことから、これを悪用して偽造、変造物を作成する犯罪が社会問題となっている。
【０００３】
これらの偽造、変造を防止するため種々の提案がされている（例えば特許文献１参照。）。この特許文献１では、可視光以外の波長領域の光によって励起されて赤（以下、Ｒと称す。）、緑（以下、Ｇと称す。）、青（以下、Ｂと称す。）の光を発光する３種の蛍光インキを用いて、基板上に原稿画像を印刷する。そして、この印刷された蛍光体画像に対して励起光を含むブラックライトを照射して、この蛍光体画像からＲ、Ｇ、Ｂの光を発光させ、発光された光の加法混合によって原稿画像に近い蛍光画像が現れるようにする画像形成方法が提案されている。
【０００４】
また、上記画像形成方法では、Ｒ、Ｇ、Ｂの光を発光させる励起光の分光波長の分布が少なくとも部分的に重なるようにしている。その理由は、この重なり部分の波長光を多く含む１種類の紫外線（ＵＶ）によるＵＶ−Ａタイプのブラックライト光源からの励起光によって励起してＲ、Ｇ、Ｂを発光させ、効率良く蛍光画像が見えるようにするためである。
【０００５】
【特許文献１】
特開平１０―３５０８９号公報（第１頁）
【０００６】
【発明が解決しようとする課題】
特許文献１に示された従来の画像形成方法に用いられているブラックライトは、ＵＶ−Ａタイプの光源として市販されており、誰にでも簡単に入手可能であり、これを用いることで認証用印刷物に蛍光体画像（以下、蛍光画像と称する）が印刷されていることは容易に知ることができる。このように、蛍光画像が印刷されていることが簡単に視認されるとセキュリティ性が低減してしまうという問題がある。
【０００７】
本発明は、上記問題点を解決するためになされたもので、認証用印刷物に蛍光画像を印刷する際、この蛍光画像の印刷が簡単に視認されないセキュリティ性の高い画像を記録するための熱転写インクリボン、この熱転写インクリボンを用いて記録した認証用印刷物及びその認証用印刷物の画像形成方法を提供することを目的とする。
【０００８】
【課題を解決するための手段】
上記目的を達成するために、請求項１記載の熱転写インクリボンは、熱転写インクリボンの帯状の支持体と、この支持体の長さ方向に第１の蛍光色料を含有する第１のインク層と、前記支持体の長さ方向に第２の蛍光色料を含有する第２のインク層を備え、前記第１及び第２のインク層が前記支持体の片側の面に交互に形成されていることを特徴とする。
【０００９】
また、請求項６記載の認証用印刷物は、熱転写インクリボンの帯状の支持体の長さ方向に、第１の蛍光色料を含有する第１のインク層と、第２の蛍光色料を含有する第２のインク層を備え、前記第１及び第２のインク層が前記支持体の片側の面に交互に形成されている熱転写インクリボンを用いて記録された認証用印刷物であって、印刷物の所定位置に前記第１のインク層で記録された第１の蛍光画像と、前記第２のインク層で記録された第２の蛍光画像を有することを特徴とする。
【００１０】
さらに、請求項１０記載の認証用印刷物の画像形成方法は、熱転写インクリボンの帯状の支持体の長さ方向に、第１の励起光により励起されると第１の可視光を発光する第１の蛍光色料を含有する第１のインク層と、第１又は第２の励起光により励起されると第２の可視光を発光する第２の蛍光色料を含有する第２のインク層を備え、前記第１及び第２のインク層が前記支持体の片側の面に交互に形成されている熱転写インクリボンを用いた認証用印刷物の画像形成方法であって、
画像情報を読み込む読込ステップと、前記読込ステップで読み込んだ前記画像情報から認証用印刷物に記録するための記録データを作成する作成ステップと、前記記録データ作成ステップで作成された前記記録データを前記認証用印刷物の所定位置に前記熱転写インクリボンの前記第１のインク層により第１の蛍光画像を記録し、前記第２のインク層により第２の蛍光画像を記録する記録ステップとを有することを特徴とする。
【００１１】
【発明の実施の形態】
（第１の実施の形態）
先ず、本発明に係る熱転写インクリボンの第１の実施の形態について図面を参照して説明する。図１は、本発明の熱転写インクリボンＲ１の側断面図である。熱転写インクリボンＲ１は、帯状の支持体１と、この支持体１の一方の面に蛍光色料３を分散して含有させた熱溶融性バインダ５ａで形成される第１のインク層２１と、支持体１のこの第１のインク層２１が形成されているのと同じ面に隣接して配置され、蛍光色料４を分散して含有させた熱溶融性バインダ５ｂで形成される第２のインク層２２とで構成され、これら第１のインク層２１及び第２のインク層２２を支持体１の長さ方向に順次、繰り返し塗布したものである。
【００１２】
支持体１は、例えば、２〜６μｍ厚のポリエステルやポリイミドなどの合成樹脂フィルムで構成されている。
【００１３】
第１のインク層２１及び第２のインク層２２は、熱溶融性バインダ５ａ、５ｂに励起光を照射することにより発光する蛍光色料３及び４を分散させて、２〜４μｍ厚の組成物で構成されている。
【００１４】
さらに、熱溶融性バインダ５ａ、５ｂは、マイクロクリスタリンワックス、高級脂肪酸、高級脂肪酸エステル、塩ビ−酢ビ共重合体、飽和ポリエステル樹脂などの熱溶融性で、無色透明あるいは単色透明のもので構成され、融点が６℃〜１００℃のものが好適に用いられる。
【００１５】
蛍光色料３及び蛍光色料４などの蛍光色料には、無機蛍光顔料、有機蛍光顔料、及び波長変換色料が用いられる。
【００１６】
無機蛍光顔料は、Ｃａ、Ｂａ、Ｍｇ、Ｚｎ、Ｃｄなどの酸化物、硫化物、ケイ酸塩、などを主成分とする結晶に、Ｍｎ、Ｚｎ、Ａｇ、Ｃｕなどの金属元素もしくはランタノイドなどの希土類元素を含有する活性剤を添加して焼成して得られる顔料が用いられる。
【００１７】
有機蛍光顔料は、ジアミノスチルベンジスルホン酸誘導体、イミダゾール誘導体、クマリン誘導体、またはフルオレセイン色素などが用いられる。
【００１８】
波長変換色料は、ローダミン系蛍光顔料などが用いられる。
【００１９】
この無機蛍光顔料及び有機蛍光顔料は、主として紫外光によって励起されて可視光を発光する。また、波長変換色料は、可視光によって励起されて可視光を発光する。
【００２０】
ここで、蛍光色料の組成について説明する。図１に示す熱転写インクリボンＲ１の蛍光色料３は、例えば２５４ｎｍの波長を有する励起光で励起されると赤色光を発光する蛍光顔料（組成式  Ｙ２Ｏ３：Ｅｕ）で構成される。そして、第１のインク層２１は、この蛍光顔料を熱溶融性バインダ５ａ（例えばマイクロクリスタリンワックス）に分散し、グラビア印刷（図示しない）により支持体１の表面に塗布し、乾燥させてインク層２１を形成したものである。
【００２１】
また、蛍光色料４は、例えば３６５ｎｍ又は２５４ｎｍの波長を有する励起光で励起されると青色光を発光する蛍光顔料（組成式  Ｓｒ５（ＰＯ２）３Ｃｌ：Ｅｕ）で構成される。そして、第２のインク層２２は、この蛍光顔料を熱溶融性バインダ５ｂ（例えばマイクロクリスタリンワックス）に分散して含有させ、グラビア印刷により支持体１の表面に塗布し、乾燥させてインク層２２を形成したものである。
【００２２】
熱転写インクリボンＲ１は、これら第１のインク層２１と第２のインク層２２を支持体１の一方の表面に交互に配置したものである。
【００２３】
図２は、熱転写インクリボンＲ１の励起光と発光の関係を示す図である。第１のインク層２１の蛍光色料３は、２５４ｎｍの波長を有する励起光３１で励起されると赤色光３２を発光し、第２のインク層２２の蛍光色料４は、２５４ｎｍの波長を有する励起光３１又は３６５ｎｍの波長を有する励起光３３の何れの励起光で励起されても青色光３４を発光する様子を示している。
【００２４】
次に、この第１の実施の形態の熱転写インクリボンを形成する方法を説明する。認証用印刷物とするためには視認性が必要になり、例えば顔画像のようなカラー画像を形成する必要がある。このために図１、図２で説明した熱転写インクリボンに、イエロー色の顔料（以下、Ｃと称す。）、マゼンダ色の顔料（以下、Ｍと称す。）、シアン色の顔料（以下、Ｃと称す。）、ブラック顔料（以下、ＢＫと称す。）をそれぞれ含有した可視インク層を熱転写インクリボンの長さ方向に順次形成する。
【００２５】
このように構成した熱転写インクリボンを、例えば後述する画像形成方法を用いて印刷することにより認証用印刷物へのカラー画像印刷と蛍光画像印刷が可能になる。
【００２６】
（第２の実施の形態）
次に、本発明に係る第２の実施の形態の熱転写インクリボンＲ２を説明する。
【００２７】
なお、先に説明した第１の実施の形態に用いられたものと同じものには、同一の符号を付けて説明する。
【００２８】
図３は、本発明の熱転写インクリボンＲ２の側断面図である。熱転写インクリボンＲ２は、支持体１と、この支持体１の一方の面に、蛍光色料３と蛍光色料４とを含有させた熱溶融性バインダ５ｃを形成するインク層２３によって構成される。
【００２９】
インク層２３を形成する組成物材料及びインク層２３の形成方法については、上記熱転写インクリボンＲ１の第１のインク層２１又は第２のインク層２２と同じであるので説明を省略する。
【００３０】
蛍光色料３は、例えば２５４ｎｍの波長を有する励起光３１で励起されると赤色光３２を発光する蛍光顔料（組成式  Ｙ２Ｏ３：Ｅｕ）によって構成され、蛍光色料４は、例えば３６５ｎｍ及び２５４ｎｍの波長の励起光で励起されると青色光３４を発光する蛍光顔料（組成式  Ｓｒ５（ＰＯ２）３Ｃｌ：Ｅｕ）によって構成される。
【００３１】
この熱転写インクリボンＲ２は、これらの蛍光色料３、４を熱溶融性バインダ５ｃ（例えばマイクロクリスタリンワックス）に分散して含有させ、グラビア印刷により支持体１の一方の表面に塗布し、乾燥させてインク層２３を形成したものである。
【００３２】
図４は、熱転写インクリボンＲ２の励起光と発光の関係を示す図である。すなわち、インク層２３の蛍光色料３は、２５４ｎｍの波長を有する励起光３１で励起されると赤色光３２を発光し、蛍光色料４は、２５４ｎｍの波長を有する励起光３１又は３６５ｎｍの波長を有する励起光３３で励起されると青色光３４を発光する様子を示している。
【００３３】
このように構成した熱転写インクリボンＲ２を、例えば後述する画像形成方法を用いて印刷することにより認証用印刷物への顔画像などのカラー画像印刷と蛍光画像印刷が可能になる。
【００３４】
次に、本発明の熱転写インクリボンＲ１又はＲ２を用いて認証用印刷物など画像を形成する画像形成方法を図５及び図６を用いて説明する。
【００３５】
図５は、本発明の熱転写インクリボンを用いて認証用印刷物に画像を形成するフローチャートで、図６は、記録動作処理サブルーチンである。なお、熱転写インクリボンＲ１と熱転写インクリボンＲ２の違いは、支持体１に２つのインク層が形成されているか、１つのインク層が形成されているかの違いだけである。また、２つのインク層が形成されている熱転写インクリボンＲ１を用いた画像形成方法は、１つのインク層が形成されている熱転写インクリボンＲ２を用いた画像形成方法を包含している。従って、熱転写インクリボンＲ１を用いて記録媒体に印刷する画像形成方法を中心に説明する。
【００３６】
図５のフローチャートは、印刷部を制御する印刷制御部を構成するＣＰＵ（開示せず）によって処理される。
【００３７】
第１ステップは、画像情報読込処理ルーチン（Ｓ１）である。ここで述べる画像情報とは、銀塩写真やデジタルカメラなどで撮像した人の顔や、模様などのパターンのことである。この処理ルーチン（Ｓ１）では、この画像情報を画像データとして読み込む。
【００３８】
第２ステップは、記録データ作成処理ルーチン（Ｓ２）であり、読込んだ画像データから認証用印刷物へ記録するための記録データとして作成するルーチンである。この記録データとは、第１ステップで得られた上記画像データから第１のインク層２１及び第２のインク層２２毎に認証用印刷物へ記録するための記録データである。
【００３９】
第３ステップは、記録動作処理サブルーチン（Ｓ３）であり、その詳細な記録動作は図６に示す。以下、図６の記録動作サブルーチンのフローチャートを参照して説明する。
【００４０】
第２のステップで作成された記録データは、印刷制御部に転送される。また、印刷部においては、印刷用のサーマルヘッドと認証用印刷物である記録媒体の間には上述した熱転写インクリボンＲ１が挟持されている。この時、記録媒体の被記録面と、熱転写インクリボンＲ１の第１のインク層２１、又は第２のインク層２２が形成されているインク層形成面とが当接するように、サーマルヘッドに対して熱転写インクリボンＲ１の支持体１の他方の面側から所定の圧力で押し当てる（Ｓ１０）。
【００４１】
そして、印刷制御部は、第２ステップで作成された記録データに基づいて、サーマルヘッドを駆動するのに伴い、所定の記録速度で記録媒体及び熱転写インクリボンＲ１を搬送し（Ｓ１１）、記録データに基づきサーマルヘッドによって第１のインク層２１を記録媒体に転写（Ｓ１３）することにより、画像を記録する。
【００４２】
この時の記録は、記録媒体の搬送方向に対して垂直方向に１ラインずつ記録されると共に、所定のライン数まで記録が行われたかどうかの確認が行われる（Ｓ１４）。なお、このライン数は記録データ作成時に設定される。
【００４３】
次に、記録回数が所定値に達したかどうかの確認を行う（Ｓ１５）。熱転写インクリボンＲ１は、インク層が２個であり、第１のインク層２１及び第２のインク層２２の場合について画像記録する必要があり記録回数が２となる。
【００４４】
熱転写インクリボンＲ１は、第２のインク層２２の画像記録が必要となり、第１のインク層２１による画像記録と同様にＳ１１〜Ｓ１４の処理を再び行う。
【００４５】
次に、記録媒体及び熱転写インクリボンＲ１の搬送を停止し（Ｓ１６）、記録媒体の被記録面と熱転写インクリボンＲ１のインク層形成面とサーマルヘッドとが当接するように押圧していた押圧力を解除することにより、被記録面と熱転写インクリボンＲ１とを分離する（Ｓ１７）。この状態で、熱転写インクリボンＲ１の第１のインク層２１及び第２のインク層２２による記録媒体への転写動作は終了する。
【００４６】
次に、本発明の熱転写インクリボンＲ１又は熱転写インクリボンＲ２を用いて蛍光画像を印刷した認証用印刷物について図７乃至図９を参照して説明する。
【００４７】
図７は、本発明により作成された認証用印刷物の第１の例を示す図である。図７では、記録媒体１４に四角形パターン１２と背景付き顔画像１３を上述の手順を用いて印刷した状態を示している。
【００４８】
すなわち、記録媒体１４は、熱転写インクリボンＲ１の第１のインク層２１で四角形パターン（第１の蛍光画像）１２を、第２のインク層２２で背景付き顔画像（第２の蛍光画像）１３を、それぞれ重ならないように記録したものである。この場合、図５の画像形成のフローチャートにおいて、記録動作処理サブルーチン（Ｓ３）を２種類の画像情報に合わせて２回行うことになる。
【００４９】
このようにして作成された記録媒体１４に対し３６５ｎｍの波長を有するＵＶ−Ａタイプのブラックライト光源１０から励起光を照射すると、第１のインク層２１で記録した四角形パターン１２は、第１のインク層２１に含まれる蛍光色料３を励起する波長（２５４ｎｍ）が照射されないため発光せず視認することができない。一方、第２のインク層２２で記録した背景付き顔画像１３は、第２のインク層２２に含まれる蛍光色料４を励起する波長（３６５ｎｍ）が照射されるため、青色光を発光するため、検査する人が視認することができる。図７（Ａ）はこの状態を示している。
【００５０】
一方、図７（Ｂ）は、記録媒体１４に対し２５４ｎｍの励起光を発光する光源１１で照射している状態を示している。この場合は、第１のインク層２１に含まれる蛍光色料３と、第２のインク層２２に含まれる蛍光色料４の何れの蛍光色料も２５４ｎｍの波長で励起されるため、第１のインク層２１で記録された四角形パターン１２は赤色光を発光し、第２のインク層２２で記録された背景付き顔画像１３は青色光を発光するため検査する人が視認することができる。
【００５１】
このように、本発明によれば記録媒体１４に対して３６５ｎｍの波長を有するＵＶ−Ａタイプのブラックライト光を照射する光源１０で照射すると視認されなかった蛍光画像が、２５４ｎｍの波長を有する光を照射する光源１１の励起光を照射すると視認できるようになり、セキュリティ性の高い記録媒体１４を得ることができる。また、第１のインク層２１で記録した四角形パターン１２の存在を２５４ｎｍの波長の励起光を照射して発光させることにより、印刷物の真偽を判定することができる。
【００５２】
図８は、本発明により作成された認証用印刷物の第２の例を示す図である。この第２の例の説明においては上記第１の例と同一部分については同一符号で示し、その説明を省略する。図８（Ａ）は、熱転写インクリボンＲ１を用いて、画像を形成した記録媒体１５を３６５ｎｍの波長の励起光を発光するＵＶ−Ａタイプの光源１０を用いて励起光を照射している状態を示している。
【００５３】
この第２の例による記録媒体１５は、熱転写インクリボンＲ１の第１のインク層２１で記録した四角形パターン１２に、第２のインク層２２で記録した背景付き顔画像１３の一部が重なるように記録したものである。この場合も、図５の画像形成フローチャートにおいて、記録動作処理サブルーチン（Ｓ３）を２種類の画像情報に合わせて２回行うことになる。
【００５４】
このようにして作成した記録媒体１５を、３６５ｎｍの波長の励起光を発光するＵＶ−Ａタイプの光源１０を用いて励起光を照射すると、第１のインク層２１で記録した四角形のパターン１２は、第１のインク層２１に含まれる蛍光色料３を励起する波長（２５４ｎｍ）が照射されないため発光せず、検査する人は視認することができない。一方、第２のインク層２２で記録した背景付き顔画像１３は、第２のインク層２２に含まれる蛍光色料４を励起する波長（３６５ｎｍ）の励起光が照射されるため青色光を発光するため検査する人は視認することができる。
【００５５】
一方、図８（Ｂ）は、記録媒体１５を２５４ｎｍの励起光を発光する光源１１を用いて照射している状態を示している。この場合は、第１のインク層２１に含まれる蛍光色料３と、第２のインク層２２に含まれる蛍光色料４の両方とも２５４ｎｍの波長の励起光で励起されるため、第１のインク層２１で記録された四角形パターン１２は赤色光を発光し、第２のインク層２２で記録された背景付き顔画像１３は青色光を発光する。さらに四角形パターン１２と、背景付き顔画像１３の重なり合う部分２０は、赤色光と青色光の混色であるマゼンダ色の光を発光する。
【００５６】
このように、第１のインク層２１で記録した四角形パターン１２の存在を２５４ｎｍの励起光を発光する光源１１を用いて励起光を照射することにより確認できるため、記録媒体１５の真偽判定に利用することができる。また、四角形パターン１２と、背景付き顔画像１３が重なり合って記録されている部分２０がマゼンダ色の光を発光するため、重なり合う部分２０の発光色を規定しておけば、仮に両方の画像を偽造されたとしても、規定した発光色の発光を測定することにより、よりセキュリティの高い認証用印刷物を提供することができる。
【００５７】
図９は、本発明により作成された認証用印刷物の第３の例を示す図である。この第３の例の説明においては、上記第１、第２の例と同一部分については同一符号で示し、その説明を省略する。
【００５８】
この第３の例による記録媒体１６は、熱転写インクリボンＲ１の第１のインク層２１で記録した四角形パターン１２と、第２のインク層２２で記録した背景付き顔画像１３を同じ位置に重ねて記録したものである。また、蛍光色料３、４を含有する熱転写インクリボンＲ２を用いて背景付顔画像１３を記録したものであってもよい。
【００５９】
この記録媒体１６に３６５ｎｍの波長の励起光を発光するＵＶ−Ａタイプの光源１０を用いて励起光が照射されると、熱転写インクリボンＲ１を用いて記録された場合は第２のインク層２２に含まれる蛍光色料４が、あるいは熱転写インクリボンＲ２を用いて記録された場合はインク層２３に含まれる蛍光色料４のみが励起されるため、背景付き顔画像１３は青色光を発光し、検査する人は視認することができる。
【００６０】
また、記録媒体１６に２５４ｎｍの励起光を発光する光源１１を用いて励起光が照射されると、熱転写インクリボンＲ１の第１のインク層２１で記録した四角形のパターン１２に含まれる赤色光を発光する蛍光色料３と、第２のインク層２２で記録した背景付き顔画像１３に含まれる青色光を発光する蛍光色料４の両方とも発光し、その重なり画像が現れている背景付き顔画像１３はマゼンダ色の光を発光する。また、熱転写インクリボンＲ２を用いて記録された背景付き画像においてもインク層２３に含まれる蛍光色料３、４が励起されて背景付き顔画像１３はマゼンダ色の光を発光する。これにより、背景付き顔画像１３を検査する人が視認することができる。
【００６１】
このように、第３の例の認証用印刷物では、３６５ｎｍの波長の励起光を発光するＵＶ−Ａタイプの光源１０による励起光の照射では、背景付き顔画像１３を青色光の発光でしか視認できないが、２５４ｎｍの波長１１の励起光を照射することによりマゼンダ色の発光を視認可能となり、セキュリティ性が高くなる。また、２５４ｎｍの波長の励起光を発光する光源１１により背景付き顔画像１３の発光色が変化することを確認することにより印刷物の真偽を判定することができる。さらに、２５４ｎｍの波長の励起光を発光する光源１１が照射されたときの顔画像１３の色を予め規定しておけば、仮に両方の画像を偽造されたとしても、規定した発光色の発光を測定することにより、規定した発光色の発光を判定すれば、セキュリティの高い印刷物を提供することができる。
【００６２】
【発明の効果】
本発明の熱転写インクリボンを用いることにより、蛍光画像が印刷されていることが簡単に視認されないセキュリティ性の高い認証用印刷物を提供することができる。
【図面の簡単な説明】
【図１】本発明の第１の実施の形態に係る熱転写インクリボンＲ１の側断面図。
【図２】熱転写インクリボンＲ１の励起光と発光の関係及び熱転写インクリボンの具体例を示す図。
【図３】本発明の第２の実施の形態に係る熱転写インクリボンＲ２の側断面図。
【図４】熱転写インクリボンＲ２の励起光と発光の関係及び熱転写インクリボンの具体例を示す図。
【図５】本発明の熱転写インクリボンを用いて認証用印刷物に蛍光画像を形成するフローチャート。
【図６】図５の記録動作処理サブルーチンのフローチャート。
【図７】本発明により作成された認証用印刷物の第１の例を示す図。
【図８】本発明により作成された認証用印刷物の第２の例を示す図。
【図９】本発明により作成された認証用印刷物の第３の例を示す図。
【符号の説明】
Ｒ１  熱転写インクリボン
Ｒ２  熱転写インクリボン
１  支持体
２１  第１のインク層
２２  第２のインク層
２３  第３のインク層
３、４、  蛍光色料
５  熱溶融性バインダ
３１  ２５４ｎｍの波長を有する励起光
３２  赤色光
３３  ３６５ｎｍの波長を有する励起光
３４  青色光
１０  ３６５ｎｍの波長を有するＵＶ−Ａタイプの光源
１１  ２５４ｎｍの波長を有する光源
１２  四角形パターン
１３  背景付き顔画像
１４、１５、１６  印刷物
２０  重なりあう部分
【図１】
2005007692.tif 000003
【図２】
2005007692.tif 000004
【図３】
2005007692.tif 000005
【図４】
2005007692.tif 000006
【図５】
2005007692.tif 000007
【図６】
2005007692.tif 000008
【図７】
2005007692.tif 000009
【図８】
2005007692.tif 000010
【図９】
2005007692.tif 000011